【手続補正書】
【提出日】令和2年6月16日(2020.6.16)
【手続補正１】
【補正対象書類名】明細書
【補正対象項目名】０００６
【補正方法】変更
【補正の内容】
【０００６】
上記目的を達成するために、本発明の情報処理装置は、複数の通信インタフェースを用いて外部装置と通信可能な情報処理装置であって、前記複数のインタフェースの中から有効にする通信インタフェースをユーザ操作に基づき設定する設定手段と、複数の通信インタフェースが有効に設定されている状態で、前記有効に設定された複数の通信インタフェースのうち、少なくともいずれか１つの通信インタフェースに関するエラーが発生した場合、エラーが発生している通信インタフェースを識別する情報と、発生しているエラーの内容を示す情報を対応付けた情報を第１の表示領域に表示する表示制御手段とを有し、前記第１の表示領域は、前記発生しているエラーに関する情報とは異なる情報を表示する第２の表示領域とともに前記情報処理装置が有する表示手段上に表示されることを特徴とする。
【手続補正２】
【補正対象書類名】特許請求の範囲
【補正対象項目名】全文
【補正方法】変更
【補正の内容】
【特許請求の範囲】
【請求項１】
複数の通信インタフェースを用いて外部装置と通信可能な情報処理装置であって、
前記複数のインタフェースの中から有効にする通信インタフェースをユーザ操作に基づき設定する設定手段と、
複数の通信インタフェースが有効に設定されている状態で、前記有効に設定された複数の通信インタフェースのうち、少なくともいずれか１つの通信インタフェースに関するエラーが発生した場合、エラーが発生している通信インタフェースを識別する情報と、発生しているエラーの内容を示す情報を対応付けた情報を第１の表示領域に表示する表示制御手段とを有し、
前記第１の表示領域は、前記発生しているエラーに関する情報とは異なる情報を表示する第２の表示領域とともに前記情報処理装置が有する表示手段上に表示されることを特徴とする情報処理装置。
【請求項２】
前記複数の通信インタフェースが有効に設定されている場合、いずれか１つの通信インタフェースが、主たる通信インタフェースとして機能し、前記いずれか１つの通信インタフェースと異なる通信インタフェースが副次的な通信インタフェースとして機能し、
前記主たる通信インタフェースとして機能する通信インタフェースに対応する第１の設定画面には、デフォルトゲートウェイを設定するための表示アイテムが表示され、
前記副次的な通信インタフェースとして機能する通信インタフェースに対応する第２の設定画面には、デフォルトゲートウェイを設定するための表示アイテムが表示されないことを特徴とする請求項１に記載の情報処理装置。
【請求項３】
前記複数の通信インタフェースは、有線通信を行う有線通信インタフェースと無線通信を行う無線通信インタフェースを含み、
前記表示制御手段は、前記有線通信インタフェースのみを使用、前記無線通信インタフェースのみを使用、前記有線通信インタフェース及び前記無線通信インタフェースの両方を使用の３つの選択肢の中から１つをユーザに選択させる設定画面を表示し、
前記設定手段は、前記設定画面を介したユーザ操作に従って、前記複数のインタフェースの中から有効にする通信インタフェースを設定することを特徴とする請求項１又は２に記載の情報処理装置。
【請求項４】
前記情報処理装置は印刷装置であることを特徴とする請求項１乃至３のいずれか１項に記載の情報処理装置。
【請求項５】
前記有効に設定された通信インタフェースに割り当てられたＩＰアドレスがネットワーク上の他の装置のＩＰアドレスと重複しているか否かを判定する判定手段を更に有し、
前記表示制御手段は、前記複数の通信インタフェースが有効に設定されている状態で、前記有効に設定された複数の通信インタフェースのうち、少なくともいずれか１つの通信インタフェースに割り当てられたＩＰアドレスが前記ネットワーク上の他の装置のＩＰアドレスと重複していると前記判定手段によって判定された場合、ＩＰアドレスの重複が発生している通信インタフェースを識別する情報と、外部装置とＩＰアドレスのコンフリクトが発生していることを示す情報とを対応付けて前記第１の表示領域に表示することを特徴とする請求項１乃至４のいずれか１項に記載の情報処理装置。
【請求項６】
前記判定手段は、ＡＲＰプロトコルを用いて、前記有効に設定された通信インタフェースに割り当てられたＩＰアドレスと同じＩＰアドレスが設定されたデバイスがネットワーク上に存在するかを問合せ、当該問合せの結果に基づき、前記有効に設定された通信インタフェースに割り当てられたＩＰアドレスがネットワーク上の他の装置のＩＰアドレスと重複しているか否かを判定することを特徴とする請求項５に記載の情報処理装置。
【請求項７】
前記判定手段による判定は、前記設定手段により前記複数のインタフェースの中から有効にする通信インタフェースの設定が変更された場合、又は、前記情報処理装置がパワーオフ状態からパワーオン状態に遷移する場合に実行されることを特徴とする請求項５又は６に記載の情報処理装置。
【請求項８】
前記複数の通信インタフェースのうち、１つの通信インタフェースのみが有効に設定されている状態で、前記有効に設定された１つの通信インタフェースに関するエラーが発生した場合、前記表示制御手段は、エラーが発生している通信インタフェースを識別する情報を表示することなく、発生しているエラーの内容を示す情報を前記第１の表示領域に表示することを特徴とする請求項１乃至７のいずれか１項に記載の情報処理装置。
【請求項９】
前記表示制御手段は、前記表示手段に、前記情報処理装置が有する複数の機能の中から使用する機能を選択するための選択肢を表示する前記第２の表示領域とともに、ステータスを表示するために設けられた前記第１の表示領域を表示することが可能であることを特徴とする請求項１乃至８のいずれか１項に記載の情報処理装置。
【請求項１０】
複数の通信インタフェースを用いて外部装置と通信可能な情報処理装置の制御方法であって、
前記複数のインタフェースの中から有効にする通信インタフェースをユーザ操作に基づき設定する設定工程と、
複数の通信インタフェースが有効に設定されている状態で、前記有効に設定された複数の通信インタフェースのうち、少なくともいずれか１つの通信インタフェースに関するエラーが発生した場合、エラーが発生している通信インタフェースを識別する情報と、発生しているエラーの内容を示す情報を対応付けた情報を第１の表示領域に表示する表示制御工程とを有し、
前記第１の表示領域は、前記発生しているエラーに関する情報とは異なる情報を表示する第２の表示領域とともに前記情報処理装置が有する表示手段上に表示されることを特徴とする情報処理装置の制御方法。
【請求項１１】
複数の通信インタフェースを用いて外部装置と通信可能な情報処理装置のコンピュータに、
前記複数のインタフェースの中から有効にする通信インタフェースをユーザ操作に基づき設定する設定工程と、
複数の通信インタフェースが有効に設定されている状態で、前記有効に設定された複数の通信インタフェースのうち、少なくともいずれか１つの通信インタフェースに関するエラーが発生した場合、エラーが発生している通信インタフェースを識別する情報と、発生しているエラーの内容を示す情報を対応付けた情報を第１の表示領域に表示する表示制御工程とを実行させるためのプログラムであって、
前記第１の表示領域は、前記発生しているエラーに関する情報とは異なる情報を表示する第２の表示領域とともに前記情報処理装置が有する表示手段上に表示されることを特徴とするプログラム。